(57)【要約】電極付手袋が、電気絶縁材料からなる手袋本体２の手の平側の表面に間隔をおいて配設された対をなす面状電極３、４と、手袋本体２の手の甲側又は手の平側の手首寄りに取付けられた面状電極３、４への給電制御を行う操作パネル３０と、手袋本体２に取付けられて操作パネル３０の出力端子４０と各面状電極３、４とを電気的に接続するリード配線５、６とから構成される。人体の局部に各面状電極３、４を少し離して接触させ、通電させることでトリートメントを行う。このため、手袋本体２を片方の手のみに装着して人体の局部に通電し、広い範囲で、細かい部分までトリートメントを容易に行うことができる。
2003088776.tif 000002
【特許請求の範囲】
【請求項１】
電気絶縁材料からなる手袋本体と、
前記手袋本体の手の平側の表面に間隔をおいて配設された対をなす電極と、
前記手袋本体の手の甲側又は手の平側の手首寄りに取付けられた前記電極への給電制御を行う操作パネルと、
前記手袋本体に取付けられて前記操作パネルの出力端子と前記各電極とを電気的に接続するリード配線と
を有することを特徴とする電極付手袋。
【請求項２】
前記電極の一方の側が、前記手袋本体の親指付根から広がる凸部に設けられ、前記電極の他方の側が、前記手袋本体の少なくとも親指以外の指の指先部分に設けられていることを特徴とする請求項１記載の電極付手袋。
【請求項３】
前記電極は、表面に導電皮膜を形成した導電繊維と電気絶縁性の繊維とを織成した導電織布からなることを特徴とする請求項１又は２記載の電極付手袋。
【請求項４】
前記電極は、ホットメルト接着剤又は縫製により前記手袋本体に固着されていることを特徴とする請求項１乃至３のいずれか１項記載の電極付手袋。
【請求項５】
前記リード配線は、前記電極を延長させて形成されてなることを特徴とする請求項１乃至４のいずれか１項記載の電極付手袋。
【請求項６】
前記操作パネルは、電極端子を介して前記各リード配線に接続されていることを特徴とする請求項１乃至５のいずれか１項記載の電極付手袋。
【請求項７】
前記操作パネルは、前記電極端子に着脱自在に接続されていることを特徴とする請求項１乃至６のいずれか１項記載の電極付手袋。
【請求項８】
前記操作パネルは、前記電極へ給電する電源を内蔵することを特徴とする請求項１乃至７のいずれか１項記載の電極付手袋。
【請求項９】
前記電源はバッテリであり、前記操作パネルは、前記バッテリの電圧を昇圧して前記電極に給電する昇圧装置を内蔵することを特徴とする請求項８記載の電極付手袋。
【発明の詳細な説明】
技術分野
本発明は、人体の任意の部位に接触させた電極に微弱電流を流し、外部を電気的に刺激してトリートメントを行う際に用いられる電極付手袋に関する。
背景技術
従来から、人体の任意の部位に電極を接触させ、この電極にパルス性の微弱電流を流して、筋肉の刺激（ＥＭＳ；電気的筋肉刺激）、リンパの流れの促進、疲労回復等のトリートメントを行うパルス健康器が一般に用いられている。
このようなパルス健康器は、トリートメントの方法、対象部位等によりさまざまな電極形状のものが知られており、１組の手袋の手の平に、それぞれ別の電極を取付け、これらの電極を電源を含む制御部と配線を介して接続したものも提案されている。このような電極付手袋では、手袋を装着した両手をトリートメントしようとする部位に間隔をおいて当て、それぞれの手袋に設けた電極間に微弱電流を通電させてトリートメントが行われる。
発明の開示
かかる従来の電極付手袋では、両方の手を共に近付けることができない部位のトリートメントを行うことが難しいという問題があった。
また、非常に狭い限定された部位、例えば目の小じわ等の細かい部分のトリートメントを行う場合には、両方の手袋の電極を操作するため、トリートメント操作がやり難いという問題があった。
さらに、両手が手袋で覆われているため、スイッチ等の操作が困難で、運転モードの切り換えや緊急停止等の操作がやり難いという安全上の問題もあった。
本発明は、かかる従来の電極付手袋の課題を解決するためになされたもので、１つの手袋の手の平側の表面に対をなす電極を設けて片手によるトリートメント操作を可能とすることにより、上述した操作上、安全上の問題を解決した電極付手袋を提供することを目的とする。
上記目的を達成するために、本発明の電極付手袋は、電気絶縁材料からなる手袋本体と、前記手袋本体の手の平側の表面に間隔をおいて配設された対をなす電極と、前記手袋本体の手の甲側又は手の平側の手首寄りに取付けられた前記電極への給電制御を行う操作パネルと、前記手袋本体に取付けられて前記操作パネルの出力端子と前記各電極とを電気的に接続するリード配線とを有することを特徴としている。
上記対をなす電極は、一方の側を、手袋本体の親指付根から広がる凸部に設け、他方の側を、手袋本体の少なくとも親指以外の指の指先部分に設けることが望ましい。このような電極配置にした場合には、操作する側の手の親指付根から広がる膨らみ部分にある一方の電極をトリートメントする部位の皮膚に当て、親指を除く少なくとも１つの指の指先の腹の部分の他方の電極を上記部位から少し離れた部位に接触させてトリートメントを行うことができる。このとき親指付根から広がる膨らみを有する一方の電極部分をトリートメントする部位の皮膚に当てることにより、操作する手の全体が安定する。また、他方の電極部分は細かい操作が容易な指先に設けられているので、狭い領域のトリートメントも容易に行うことができる。なお、指先側の電極は、全部の指の指先に設けてもよく、任意の指のみに設けるようにしてもよい。
本発明に用いる電極は、可撓性のある導電材料であればいかなるものでも使用可能であり、特に限定されるものではないが、可撓性、耐久性に優れていることから、表面に銀のような導電金属を被覆した導電繊維と電気絶縁性の繊維とを適当な比率で混織した導電織布が適している。
手袋本体は、通常の薄手の手袋生地が適しているが、電気絶縁性でかつ操作性がよいものであればどのような手袋材料でも使用可能である。
上記電極は、例えばホットメルト接着剤又は縫製により手袋本体に固着される。本発明の操作パネルは、トリートメント操作の邪魔にならない手袋本体の手の甲側又は手の平側の手首寄りに取付けられる。
電極と操作パネルの出力端子を接続するリード配線は、電極と別の材料で形成してもよいが、電極を延長させてリード配線とすれば製造工程を短縮し部品点数を少なくできるので好ましい。
操作パネルは、その出力端子を直接リード配線と接続してもよいが、リード配線の操作パネル側に電極端子を取り付け、この電極端子と操作パネルの出力端子とを接続することが好ましい。特に、この電極端子と操作パネルの出力端子を着脱自在のスナップ構造のものとすれば、手袋本体のみの洗濯も可能になる。また、手袋本体への操作パネルの固定を確実にするため、面状ファスナを互いの当接部に設けるようにしてもよい。
さらに、操作パネルには、電極へ給電するためのバッテリのような電源を内蔵させることが望ましい。また、トリートメントには通常１０〜１００Ｖ程度の電圧が必要であるので、バッテリのような出力電圧が低い電源の場合には、出力電圧を昇圧するための公知の昇圧装置を内蔵することが望ましい場合もある。
本発明によれば、１つの手袋本体の手の平側の表面に対をなす電極を設け、片方の手のみの装着で、人体の必要な部位に通電し、広い範囲で、細かい部分までトリートメントを容易に行うことができる。
発明を実施するための形態
以下、図面を参照して、本発明の実施の形態について説明する。
本発明の電極付手袋の一実施の形態を図１ないし図３を参照して説明する。
同図に示すように、電極付手袋１は、電気絶縁材料からなる手袋本体２、手袋本体２の手の平部分に固着された可撓性の面状電極３、４、面状電極３、４に給電するとともに運転操作制御を行う操作パネル３０、操作パネル３０と各面状電極３、４とを電気的に接続するリード配線５、６とから構成されている。
手袋本体２は、合成皮革、合成樹脂をコーティングした布地などの薄く可撓性が良好な電気絶縁材料で構成され、５本の指の部分がそれぞれ独立に形成されている。なお、指の部分は必要に応じて３本指やまたはミトンタイプのものとしてもよい。
面状電極３、４、リード配線５、６は、同一の導電性の布地により一体に形成されている。導電性の布地は、例えばポリエチレンなどの合成樹脂繊維の表面に導電金属をメッキした導電性繊維をメッキのない電気絶縁性の繊維１０本中に２〜５本程度混織して形成されている。導電性金属としては、ニッケル、金、銀、銅、その他の導電金属を用いることができる。なお、面状電極３、４には、必要に応じて、導電性の金属の薄板、金属ラミネートフィルム、布地にカーボンインクのような導電塗料を印刷したもの（カーボン印刷）、カーボンシート、導電性ゴム、シリコンなどを用いることもできる。
次に、各面状電極３、４およびリード配線５、６の手袋本体２への取り付け方法について説明する。
面状電極３は、手袋本体２の手の平側の表面の、親指から、親指の付根から広がる膨らみ部分にかけて配設されている。この面状電極３は、その一部がリード配線５として手の甲側の手首付近まで延長され、その端部近傍に操作パネル３０と接続するための電極端子７が固着されている。
面状電極４は、手袋本体２の手の平側の表面の親指以外の４本の指の腹側に設けられ、小指の部分から小指側の側面に沿って手首の方へ向けてリード配線６として手の甲側の手首付近まで延長されている。その端部には操作パネル３０と接続するための電極端子７が取付けられている。なお、面状電極４は、親指以外の指にすべて設けられなくても、その内の少なくとも１本の指に設けるようにしてもよい。電極端子７、７は、操作パネルの出力端子とスナップにより着脱自在に係合する構造とされている。
この実施例では、面状電極３を負極に、面状電極４を正極にして用いているが、逆極性で用いたり交番電圧を印加させたりすることも可能である。
各面状電極３、４および各リード配線５、６は、袋とじにし、縫い合わせる糸などが皮膚に接触する表面に露出しないように縫製することもできる。さらに、各面状電極３、４および各リード配線５、６は、手袋本体２とホットメルト接着剤で固着することもできる。
次に、運転操作制御について説明する。
操作パネル３０の表面には、図３Ａ，３Ｂに示すように、例えばスイッチ５０、モード切替ボタン５１、出力調節ボタン５２、運転確認ランプ５３などが構成されている。また、操作パネル３０の裏面には、各リード配線５、６に設けられた電極端子７、７と接合する出力端子４０、４０が設けられている。また、操作パネル３０には、電源として電池６１が搭載されている。
スイッチ５０は、電源をオン・オフするものである。
モード切替ボタン５１は、設定された出力するパルス電圧のモード切替を行うものである。設定されたモードには、電圧のパルス周期などを変えた複数のパターンが組み込まれている。
出力調節ボタン５２は、出力するパルス電圧の調節を行うものである。この調節によって、例えば、ゆったりとしたモードや刺激的なモードなどのトリートメントを設定することができる。
運転確認ランプ５３は、例えば、スイッチ５０がオンの場合点灯し、通電中は点滅させるなどして、使用者に運転状態を表示するものである。また、パルス電圧のモードによって、色を変えて点灯させたり、複数のランプを設けて表示させることなどもできる。
図４は、電極付手袋の制御部の構成を示す。
制御装置６０は、例えば、電池６１、ＣＰＵ６３、電圧増幅部６２、出力回路６４、操作ボタン６５、運転確認ランプ５３などから構成される。
電池６１は、充電式の電池、充電式でない乾電池のいずれを用いてもよい。
電圧増幅部６２では、例えばコイルなどを用いた昇圧装置によって電池６１からの電圧を昇圧する。また、コイルを用いた昇圧装置以外でも、電圧の昇圧を行えるものであれば使用することができる。
出力回路６４では、電圧増幅部６２で昇圧された電圧をパルス制御して、パルス電圧を出力するものである。
次に、電極付手袋１の制御の流れを説明する。
スイッチ５０、モード切替ボタン５１、出力調節ボタン５２などの操作ボタン６５の情報に基づいて電圧増幅部６２、出力回路６４、運転確認ランプ５３にＣＰＵ６３から信号が出力される。電圧増幅部６２では、その信号に基づいて電池６１からの電圧の昇圧が行われ、その昇圧された電圧が出力回路６４に供給される。出力回路６４では、電圧の出力のパルスモードの調整が行われ、そのパルス電圧は、手袋本体２の電極端子７に供給される。
運転確認ランプ５３では、ＣＰＵ６３からの信号に基づいて、その作動状態をランプの点灯または点滅によって表示する。
また、電圧帰還回路６６では、例えば数秒間、電圧帰還回路６６に電流が流れていない場合、ＣＰＵ６３からの電流帰還制御信号により、電圧帰還回路６６ではメイン回路を切りメイン電流を遮断する。そして、数秒後に電流が流れていることがＣＰＵ６３で判定されると、ＣＰＵ６３からの電流帰還制御信号により、電圧帰還回路６６の遮断されていたメイン回路を再びオンにする。また、所定の時間電流が流れないときには、電源をオフにする制御がなされる。
この電圧帰還回路６６にＣＰＵ６３から電流帰還制御信号を出力し、電圧帰還回路６６を制御することで、無駄な消費電力を回避することができる。
次に、実際の電極付手袋の一使用例を説明する。
電極付手袋１の操作パネル３０において、電源をオンし、運転モードの設定がされると、トリートメント待機状態となる。次に、トリートメントしたい部分に電極付手袋１の各面状電極３、４が設けられている手の平側を接触させ、または、細かい部分のトリートメントにおいては、例えば親指と人差し指の各面状電極３、４を少し離して接触させる。これらの接触によって体内をパルス電流が通電し、トリートメントを行うことができる。なお、双方の面状電極３、４をトリートメントしたい部分に少し離して接触させて使用できれば、この使用方法に限るものではない。また、安全性が確保できれば、双方の手にそれぞれ電極付手袋１を装着し、異なる部分のトリートメントを同時にすることもできる。
以上説明したように本発明の電極付手袋によれば、１つの手袋本体の手の平側の表面に対をなす面状電極を設け、片方の手のみの装着で、人体の局部に通電し、広い範囲で、細かい部分までトリートメントを容易に行うことができる。また、電極付手袋本体に電源を有する操作パネルを取り外し可能に設置できるので、無線化が図れ、トリートメントを行う際の作業の効率を向上することができる。さらに、トリートメントを片手で行うため、もう一方の手でスイッチの操作が可能になるので、運転モードなどの切り換え時の操作が容易になり、また、緊急停止時には瞬時に電源を切ることができ安全性の向上を図ることができる。
産業上の利用可能性
本発明に係る電極付手袋は、人体の局部に通電しトリートメントを容易に行うことができ、産業的に製造できる。
【図面の簡単な説明】
図１は、本発明の電極付手袋の一実施の形態における手の平側の構成図である。
図２は、本発明の電極付手袋の一実施の形態における手の甲側の構成図である。
図３Ａは操作パネルの表面側の構成図で、図３Ｂは操作パネルの裏面側の構成図である。
図４は、本発明の電極付手袋の制御の一例を示したブロック図である。
【図１】
2003088776.tif 000003
【図２】
2003088776.tif 000004
【図３Ａ】
2003088776.tif 000005
【図３Ｂ】
2003088776.tif 000006
【図４】
2003088776.tif 000007
【国際調査報告】
2003088776.tif 000008
2003088776.tif 000009
2003088776.tif 000010
2003088776.tif 000011